【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
光を放出するように構成され、そして光に応答するようにさらに構成されたＬＥＤのアレイと、
前記ＬＥＤのアレイの１つまたは複数からの出力パワーを調整するために、前記ＬＥＤのアレイの１つまたは複数の光感度を使用するように構成され、前記光感度を、部分的に、開または短絡回路電圧測定値を使用して決定する、制御回路と
を含む表示デバイス。
【請求項２】
前記ＬＥＤのアレイはバックライトをＬＣＤ表示装置に設けるように構成される、請求項１に記載の表示デバイス。
【請求項３】
光感度が測定されるとき、前記ＬＥＤの１つまたは複数のピーク放出波長に対応する固定スペクトルを受け取るように構成される、請求項１に記載の表示デバイス。
【請求項４】
前記ＬＥＤの１つまたは複数に印加される電流を調整し、前記隣接するＬＥＤによって生成される光の強度を補償するように構成される補正係数を使用して、前記ＬＥＤの１つまたは複数からの前記出力パワーは調整される、請求項１に記載の表示デバイス。
【請求項５】
前記ＬＥＤのアレイは無機ＬＥＤを含む、請求項１に記載の表示デバイス。
【請求項６】
第１のＬＥＤを準備するステップと、
光源からの光を受け取るために前記第１のＬＥＤを使用するステップと、
前記第１のＬＥＤによって受け取られた前記光に基づいて前記第１のＬＥＤまたは前記光源からの波長または強度放出特性を決定するステップと、
前記決定された波長または強度放出特性に基づいて前記第１のＬＥＤまたは前記光源の放出特性を調整するステップと
を含む光較正の方法。
【請求項７】
前記光源として第２のＬＥＤを使用し、追加の光源として第３のＬＥＤを準備し、前記第３のＬＥＤによって放出された光をさらに受け取るために前記第１のＬＥＤを使用し、前記第１のＬＥＤによって受け取られた前記第３のＬＥＤからの前記光に基づいて前記第３のＬＥＤの強度放出特性をさらに決定し、前記決定された強度放出特性に基づいて、前記第１のＬＥＤ、前記第２のＬＥＤ、前記第３のＬＥＤ、または前記３つのＬＥＤの任意の組合せの出力強度を調整するステップをさらに含む、請求項６に記載の方法。
【請求項８】
前記第２および第３のＬＥＤの前記強度放出特性を決定するために、前記第２のＬＥＤと前記第３のＬＥＤとによって前記第１のＬＥＤに誘起された光電流の比を測定するステップをさらに含む、請求項７に記載の方法。
【請求項９】
前記第１のＬＥＤによって放出された光を受け取るために前記第２のＬＥＤを使用し、前記第２のＬＥＤによって受け取られた前記第１のＬＥＤからの前記光に基づいて前記第１のＬＥＤの強度放出特性を決定し、前記第３のＬＥＤによって放出された光を受け取るために前記第２のＬＥＤを使用し、前記第２のＬＥＤによって受け取られた前記第３のＬＥＤからの前記光に基づいて前記第３のＬＥＤの強度放出特性を決定し、前記決定された強度放出特性に基づいて、前記第１のＬＥＤ、前記第２のＬＥＤ、前記第３のＬＥＤ、または前記３つのＬＥＤの任意の組合せの出力強度を調整するステップをさらに含む、請求項７に記載の方法。
【請求項１０】
前記強度放出特性を決定するために、前記第２および第３のＬＥＤによって前記第１のＬＥＤに誘起された光電流と、前記第１および第３のＬＥＤによって前記第２のＬＥＤに誘起された光電流との比を測定するステップをさらに含む、請求項９に記載の方法。
【請求項１１】
前記光電流から電圧を生成するために前記第１のＬＥＤの両端に接続された抵抗器を使用するステップをさらに含み、前記抵抗器の抵抗は、前記光電流を前記抵抗に乗算したものが前記第１のＬＥＤのターン・オン電圧よりも実質的に小さいように十分に小さい、請求項８に記載の方法。
【請求項１２】
前記第２および第３のＬＥＤの出力強度は所望の出力強度を生成するように前もって調整され、前記第２および第３のＬＥＤの前記出力強度は既知の出力強度をもつ複数のＬＥＤを有する別個の制御デバイスを使用して前もって調整された、請求項８に記載の方法。
【請求項１３】
前記第２のＬＥＤと前記第３のＬＥＤとによって前記第１のＬＥＤに誘起された光電流の前記比を制御デバイスの第２のＬＥＤと第３のＬＥＤとによって前記制御デバイスの第１のＬＥＤに誘起された光電流の比と比較するステップをさらに含み、前記制御デバイスの前記第１、第２、および第３のＬＥＤは既知の出力強度を有する、請求項８に記載の方法。
【請求項１４】
２回目に前記第２のＬＥＤと前記第３のＬＥＤとによって前記第１のＬＥＤに誘起された光電流の比を既知の強度に対する光電流の比と比較するステップをさらに含む、請求項１２に記載の方法。
【請求項１５】
前記第１のＬＥＤは赤色ＬＥＤであり、前記第２のＬＥＤは赤色ＬＥＤであり、前記第３のＬＥＤは白色または赤色ＬＥＤである、請求項８に記載の方法。
【請求項１６】
ＬＥＤランプ内で前記第１、第２、および第３のＬＥＤを使用するステップをさらに含む、請求項１５に記載の方法。
【請求項１７】
光源として第４の青色ＬＥＤを使用し、前記第４の青色ＬＥＤの強度放出特性をさらに決定するために前記第１の赤色ＬＥＤを使用するステップをさらに含み、前記第２の赤色ＬＥＤ、第３の緑色ＬＥＤ、および前記第４の青色ＬＥＤは第１の画素内に配置され、前記第１の赤色ＬＥＤは隣接する画素に配置される、請求項１６に記載の方法。
【請求項１８】
前記光源として第２のＬＥＤを準備し、基準光源を準備し、前記第２のＬＥＤと前記基準光源とからの光を受け取るために前記第１のＬＥＤを使用するステップと、前記放出特性を決定するために前記第２のＬＥＤと前記基準光源とによって前記第１のＬＥＤに誘起された光電流の比を測定するステップとをさらに含む、請求項６に記載の方法。
【請求項１９】
前記第２のＬＥＤの出力強度は所望の出力強度を生成するように前もって調整された、請求項１８に記載の方法。
【請求項２０】
前記第２のＬＥＤの前記出力強度は、既知の出力強度をもつ複数のＬＥＤを有する別個の制御デバイスを使用して前もって調整された、請求項１９に記載の方法。
【請求項２１】
前記光源として基準光源を準備し、前記基準光源によって前記第１のＬＥＤに誘起された光電流を測定するステップをさらに含む、請求項６に記載の方法。
【請求項２２】
ほぼ単一の波長をもつ光を前記基準光源により生成するステップをさらに含む、請求項２１に記載の方法。
【請求項２３】
前記単一の波長は前記第１のＬＥＤの放出波長と異なる、請求項２２に記載の方法。
【請求項２４】
ほぼ第１の波長をもつ光を生成するために前記基準光源を使用し、前記第１の波長の光によって前記第１のＬＥＤに誘起された光電流を測定し、前記第１の波長と異なるほぼ第２の波長をもつ光を生成するために前記基準光源を使用し、前記第２の波長の光によって前記第１のＬＥＤに誘起された光電流を測定し、前記第１の波長の光と前記第２の波長の光とによって前記第１のＬＥＤに誘起された光電流の比を決定するステップをさらに含む、請求項２１に記載の方法。
【請求項２５】
前記異なる波長の光を生成するために２つ以上の基準光源を使用するステップをさらに含む、請求項２４に記載の方法。
【請求項２６】
前記第１のＬＥＤの前記放出波長は既知であり、放出波長と前記光電流の比との間の関係を決定するステップをさらに含む、請求項２４に記載の方法。
【請求項２７】
放出波長は未知である第２のＬＥＤを準備し、ほぼ前記第１の波長をもつ光を前記基準光源により生成し、前記第１の波長の光によって前記第２のＬＥＤに誘起された光電流を測定し、ほぼ前記第２の波長をもつ光を前記基準光源により生成し、前記第２の波長の光によって前記第２のＬＥＤに誘起された光電流を測定し、前記第１の波長の光と前記第２の波長の光とによって前記第２のＬＥＤに誘起された光電流の比を決定するステップをさらに含み、前記第２のＬＥＤの未知の波長は、前記第１のＬＥＤの前記既知の波長を前記第１の波長の光と前記第２の波長の光とによって前記第１のＬＥＤに誘起された光電流の前記比に乗算し、それを前記第１の波長の光と前記第２の波長の光とによって前記第２のＬＥＤに誘起された光電流の比で除算したものに等しくなるように決定される、請求項２６に記載の方法。